(57)【特許請求の範囲】
【請求項１】
生体からバイタルデータを収集するバイタルデータ収集手段と、
収集されたバイタルデータとバイタル閾値とに基づき複数種の心身イベントを発生する心身イベント発生手段と、
設定した時刻または時間に関する複数種の時イベントを発生する時イベント発生手段を含む非心身イベント発生手段と、
振動や音を少なくとも含む複数種の報知手法により報知を行う報知手段と、
前記複数種の心身イベントの種類毎及び前記複数種の非心身イベントの種類毎に、報知手法情報が変更可能に設定された報知手法記憶部と、
前記心身イベント発生手段と前記非心身イベント発生手段によるイベント発生を受けて、発生したイベントの種類に応じて対応する報知手法情報を前記報知手法記憶部から得て前記報知手段を制御して前記得られた報知手法情報の報知手法により報知を行う報知制御手段と
を具備することを特徴とするイベント発生報知システム。
【請求項２】
前記複数種の心身イベントの種類毎及び前記複数種の非心身イベントの種類毎に、報知手法情報を前記報知手法記憶部に設定する報知手法設定手段と、
通信を行う通信部と、
前記非心身イベント発生手段に含まれ、前記通信部を介して複数種の連絡情報中のいずれかの種類の連絡情報を受け取ると、連絡イベントを発生させる連絡イベント発生手段と
を備え、
前記報知手法記憶部には、前記報知手法設定手段により複数種の連絡情報の種類毎に報知手法情報が設定されており、
前記報知制御手段は、前記連絡イベント発生手段によるイベント発生を受けて、発生したイベントの種類に応じて対応する報知手法情報を前記報知手法記憶部から得て前記報知手段を制御して前記得られた報知手法情報の報知手法により報知を行うことを特徴とする請求項１に記載のイベント発生報知システム。
【請求項３】
位置情報を取得する位置情報取得手段と、
注意喚起のイベントを発生させるべき複数地点の位置情報が記憶された地点情報記憶手段と、
前記非心身イベント発生手段に含まれ、前記位置情報取得手段から現在の位置情報を得て前記地点情報記憶手段の情報に基づき現在位置が注意喚起のイベントを発生させるべき地点であることを検出すると、注意喚起のイベントを発生させる注意喚起イベント発生手段と
を備え、
前記報知手法記憶部には、前記報知手法設定手段により複数の地点毎に報知手法情報が設定されており、
前記報知制御手段は、前記注意喚起イベント発生手段によるイベント発生を受けて、発生したイベントの種類に応じて対応する報知手法情報を前記報知手法記憶部から得て前記報知手段を制御して前記得られた報知手法情報の報知手法により報知を行うことを特徴とする請求項１または２に記載のイベント発生報知システム。
【請求項４】
前記報知手段は、振動や音以外に、光や映像により報知を行うものであることを特徴とする請求項１乃至３のいずれか１項に記載のイベント発生報知システム。
【請求項５】
前記心身イベント発生手段は、複数種の心身イベントとして、眠気発生イベント、疲労発生イベント、集中力低下イベントを発生させることを特徴とする請求項１乃至４のいずれか１項に記載のイベント発生報知システム。
【請求項６】
前記報知手段と前記バイタルデータ収集手段は、ウェアラブル端末に備えられ、
前記各イベント発生手段、前記報知手法記憶部、前記報知手法設定手段及び前記報知制
御手段が、スマート通信端末に備えられ、
前記ウェアラブル端末と前記スマート通信端末には、相互に通信する通信部が備えられていることを特徴とする請求項１乃至５のいずれか１項に記載のイベント発生報知システム。
【請求項７】
前記スマート通信端末にも、前記ウェアラブル端末に備えられている前記報知手段と同じ報知手段が備えられていることを特徴とする請求項６に記載のイベント発生報知システム。
【請求項８】
前記スマート通信端末には、バイタル閾値を記憶するバイタル閾値記憶部と、記憶内容のバイタル閾値を更新する更新手段が備えられ、
前記ウェアラブル端末の前記バイタルデータ収集手段からバイタルデータを得て、バイタル閾値を作成更新する閾値作成更新手段を備えるサーバが備えられ、
前記スマート通信端末と前記サーバは、それぞれの通信部を介して、前記閾値作成更新手段が作成更新したバイタル閾値を前記更新手段へ送ってバイタル閾値記憶部のバイタル閾値を更新することを特徴とする請求項６または７に記載のイベント発生報知システム。
【請求項９】
生体からバイタルデータを収集するバイタルデータ収集手段と、振動や音を少なくとも含む複数種の報知手法により報知を行う報知手段と、を備えるウェアラブル端末を、前記複数種の心身イベントの種類毎及び前記複数種の非心身イベントの種類毎に、報知手法情報が変更可能に設定された報知手法記憶部を備えるスマート通信端末から制御して、イベント発生報知を行うイベント発生報知システムにおける前記スマート通信端末のコンピュータを、
バイタルデータ収集手段によって前記生体から収集されたバイタルデータとバイタル閾値とに基づき複数種の心身イベントを発生する心身イベント発生手段、
設定した時刻または時間に関する複数種の時イベントを発生する時イベント発生手段を含む非心身イベント発生手段、
前記心身イベント発生手段と前記非心身イベント発生手段によるイベント発生を受けて、発生したイベントの種類に応じて対応する報知手法情報を前記報知手法記憶部から得て前記報知手段を制御して前記得られた報知手法情報の報知手法により報知を行う報知制御手段
として機能させることを特徴とするイベント発生報知用プログラム。
【請求項１０】
前記コンピュータを、更に、
通信を行う通信部を介してサーバに接続され、このサーバから複数種の連絡情報中のいずれかの種類の連絡情報を受け取ると、前記非心身イベントである連絡イベントを発生させる連絡イベント発生手段として機能させ、
前記コンピュータを前記報知制御手段として、前記連絡イベント発生手段によるイベント発生を受けて、発生したイベントの種類に応じて対応する報知手法情報を前記報知手法記憶部から得て前記報知手段を制御して前記得られた報知手法情報の報知手法により報知を行うように機能させることを特徴とする請求項９に記載のイベント発生報知用プログラム。
【請求項１１】
前記コンピュータを、位置情報を取得する位置情報取得手段として機能させ、
前記コンピュータには、注意喚起のイベントを発生させるべき複数地点の位置情報が記憶された地点情報記憶手段が設けられ、
前記報知手法記憶部には、前記報知手法設定手段により複数の地点毎に報知手法情報が設定されており、
前記コンピュータを、
前記位置情報取得手段から現在の位置情報を得て前記地点情報記憶手段の情報に基づき現在位置が注意喚起のイベントを発生させるべき地点であることを検出すると、注意喚起のイベントを発生させる注意喚起イベント発生手段として機能させ、
前記コンピュータを前記報知制御手段として、前記注意喚起イベント発生手段によるイベント発生を受けて、発生したイベントの種類に応じて対応する報知手法情報を前記報知手法記憶部から得て前記報知手段を制御して前記得られた報知手法情報の報知手法により報知を行うように、機能させることを特徴とする請求項９または１０に記載のイベント発生報知用プログラム。
【発明の詳細な説明】
【技術分野】
【０００１】
この発明は、例えば運転者に、眠気や疲労などの心身イベントが生じていることを報知し、支援を行うためのイベント発生報知システム、更に、このイベント発生報知システムに用いられるイベント発生報知用プログラムに関するものである。
【背景技術】
【０００２】
特許文献１には、居眠りを防止するために、運転者の過去の睡眠状態や運転時以外の覚醒時の生体情報のみに基づいて車両の制御を行うものが記載されている。
【０００３】
また、特許文献２には、車両の乗員が違和感を思えることなく自発的に思考や問題解決を起こったりすることで、休憩可能地点に誘導するものが開示されている。
【先行技術文献】
【特許文献】
【０００４】
【特許文献１】特開２００７−２０３９１３号公報
【特許文献２】特開２０１４−２１５２６５号公報
【発明の概要】
【発明が解決しようとする課題】
【０００５】
しかし、特許文献１には、本人以外にも知られる方法により通知を行う手法が採用されており、乗客が運転者に不安を抱き、苦情が寄せられて運転者にストレスがかかる可能性があり、特許文献１に記載の発明によると、安全な運転に支障をきたす恐れがある。
【０００６】
また、特許文献２に記載の発明は、運転中に運転手を含め乗員に質問を行い、回答を促すことになり、運転手の集中を妨げる恐れがある。
【０００７】
本発明は、運転中の眠気防止のみを目的とするものとは一線を画し、人が疲労や眠気を呈している状態だけでなく、業務意欲を支援することを可能とするものであり、特に運転者に適用した場合には、乗客に知られると嫌なイベントと乗客に知られてもよいイベントを分けて報知することを可能にする。
【０００８】
本発明は、本人のみに分かると思える形態の報知方式と本人以外にも分ると思える報知方式を、本人自らが選択設定可能とする。これにより、管理者目線でなく、あくまでも運転者本人の設定で運用が行われるように支援するイベント発生報知システム及びイベント発生報知用プログラムを提供するものである。
【課題を解決するための手段】
【０００９】
本発明に係るイベント発生報知システムは、生体からバイタルデータを収集するバイタルデータ収集手段と、収集されたバイタルデータとバイタル閾値とに基づき複数種の心身イベントを発生する心身イベント発生手段と、設定した時刻または時間に関する複数種の時イベントを発生する時イベント発生手段を含む非心身イベント発生手段と、振動や音を少なくとも含む複数種の報知手法により報知を行う報知手段と、前記複数種の心身イベントの種類毎及び前記複数種の非心身イベントの種類毎に、報知手法情報が変更可能に設定された報知手法記憶部と、前記心身イベント発生手段と前記非心身イベント発生手段によるイベント発生を受けて、発生したイベントの種類に応じて対応する報知手法情報を前記報知手法記憶部から得て前記報知手段を制御して前記得られた報知手法情報の報知手法により報知を行う報知制御手段とを具備することを特徴とする。
【００１０】
本発明に係るイベント発生報知システムでは、前記複数種の心身イベントの種類毎及び前記複数種の非心身イベントの種類毎に、報知手法情報を前記報知手法記憶部に設定する報知手法設定手段と、通信を行う通信部と、前記非心身イベント発生手段に含まれ、前記通信部を介して複数種の連絡情報中のいずれかの種類の連絡情報を受け取ると、連絡イベントを発生させる連絡イベント発生手段とを備え、前記報知手法記憶部には、前記報知手法設定手段により複数種の連絡情報の種類毎に報知手法情報が設定されており、前記報知制御手段は、前記連絡イベント発生手段によるイベント発生を受けて、発生したイベントの種類に応じて対応する報知手法情報を前記報知手法記憶部から得て前記報知手段を制御して前記得られた報知手法情報の報知手法により報知を行うことを特徴とする。
【００１１】
本発明に係るイベント発生報知システムでは、位置情報を取得する位置情報取得手段と、注意喚起のイベントを発生させるべき複数地点の位置情報が記憶された地点情報記憶手段と、前記非心身イベント発生手段に含まれ、前記位置情報取得手段から現在の位置情報を得て前記地点情報記憶手段の情報に基づき現在位置が注意喚起のイベントを発生させるべき地点であることを検出すると、注意喚起のイベントを発生させる注意喚起イベント発生手段とを備え、前記報知手法記憶部には、前記報知手法設定手段により複数の地点毎に報知手法情報が設定されており、前記報知制御手段は、前記注意喚起イベント発生手段によるイベント発生を受けて、発生したイベントの種類に応じて対応する報知手法情報を前記報知手法記憶部から得て前記報知手段を制御して前記得られた報知手法情報の報知手法により報知を行うことを特徴とする。
【００１２】
本発明に係るイベント発生報知システムでは、前記報知手段は、振動や音以外に、光や映像により報知を行うものであることを特徴とする。
【００１３】
本発明に係るイベント発生報知システムでは、前記心身イベント発生手段は、複数種の心身イベントとして、眠気発生イベント、疲労発生イベント、集中力低下イベントを発生させることを特徴とする。
【００１４】
本発明に係るイベント発生報知システムでは、前記報知手段と前記バイタルデータ収集手段は、ウェアラブル端末に備えられ、前記各イベント発生手段、前記報知手法記憶部、前記報知手法設定手段及び前記報知制御手段が、スマート通信端末に備えられ、前記ウェアラブル端末と前記スマート通信端末には、相互に通信する通信部が備えられていることを特徴とする。
【００１５】
本発明に係るイベント発生報知システムでは、前記スマート通信端末にも、前記ウェアラブル端末に備えられている前記報知手段と同じ報知手段が備えられていることを特徴とする。
【００１６】
本発明に係るイベント発生報知システムでは、前記スマート通信端末には、バイタル閾値を記憶するバイタル閾値記憶部と、記憶内容のバイタル閾値を更新する更新手段が備えられ、前記ウェアラブル端末の前記バイタルデータ収集手段からバイタルデータを得て、バイタル閾値を作成更新する閾値作成更新手段を備えるサーバが備えられ、前記スマート通信端末と前記サーバは、それぞれの通信部を介して、前記閾値作成更新手段が作成更新したバイタル閾値を前記更新手段へ送ってバイタル閾値記憶部のバイタル閾値を更新することを特徴とする。
【００１７】
本発明に係るイベント発生報知用プログラムは、生体からバイタルデータを収集するバイタルデータ収集手段と、振動や音を少なくとも含む複数種の報知手法により報知を行う報知手段と、を備えるウェアラブル端末を、前記複数種の心身イベントの種類毎及び前記複数種の非心身イベントの種類毎に、報知手法情報が変更可能に設定された報知手法記憶部を備えるスマート通信端末から制御して、イベント発生報知を行うイベント発生報知システムにおける前記スマート通信端末のコンピュータを、バイタルデータ収集手段によって前記生体から収集されたバイタルデータとバイタル閾値とに基づき複数種の心身イベントを発生する心身イベント発生手段、設定した時刻または時間に関する複数種の時イベントを発生する時イベント発生手段を含む非心身イベント発生手段、前記心身イベント発生手段と前記非心身イベント発生手段によるイベント発生を受けて、発生したイベントの種類に応じて対応する報知手法情報を前記報知手法記憶部から得て前記報知手段を制御して前記得られた報知手法情報の報知手法により報知を行う報知制御手段て機能させることを特徴とする。
【００１８】
本発明に係るイベント発生報知用プログラムでは、前記コンピュータを、更に、通信を行う通信部を介してサーバに接続され、このサーバから複数種の連絡情報中のいずれかの種類の連絡情報を受け取ると、前記非心身イベントである連絡イベントを発生させる連絡イベント発生手段として機能させ、前記コンピュータを前記報知制御手段として、前記連絡イベント発生手段によるイベント発生を受けて、発生したイベントの種類に応じて対応する報知手法情報を前記報知手法記憶部から得て前記報知手段を制御して前記得られた報知手法情報の報知手法により報知を行うように機能させることを特徴とする。
【００１９】
本発明に係るイベント発生報知用プログラムでは、前記コンピュータを、位置情報を取得する位置情報取得手段として機能させ、前記コンピュータには、注意喚起のイベントを発生させるべき複数地点の位置情報が記憶された地点情報記憶手段が設けられ、前記報知手法記憶部には、前記報知手法設定手段により複数の地点毎に報知手法情報が設定されており、前記コンピュータを、前記位置情報取得手段から現在の位置情報を得て前記地点情報記憶手段の情報に基づき現在位置が注意喚起のイベントを発生させるべき地点であることを検出すると、注意喚起のイベントを発生させる注意喚起イベント発生手段として機能させ、前記コンピュータを前記報知制御手段として、前記注意喚起イベント発生手段によるイベント発生を受けて、発生したイベントの種類に応じて対応する報知手法情報を前記報知手法記憶部から得て前記報知手段を制御して前記得られた報知手法情報の報知手法により報知を行うように、機能させることを特徴とする。
【発明の効果】
【００２０】
本発明によれば、上記複数種の心身イベントの種類毎及び上記複数種の時イベントの種類毎に、報知手法情報を報知手法記憶部に設定する報知手法設定手段が備えられており、特に運転者に適用した場合には、乗客に知られると嫌なイベントと乗客に知られてもよいイベントを分けて報知することを可能にする。つまり、本発明は、本人のみに分かると思える形態の報知方式と本人以外にも分ると思える報知方式を、本人自らが選択設定可能としている。
【００２１】
本発明によれば、設定した時刻または時間に関する複数種の時イベントを発生する時イベント発生手段を備えるので、所定時刻や所定時間間隔により報知が行われ、自らのタイミングで時の進み具合や状況が変化しているであろうと推定しながら、運転などの仕事を行い或いは生活してゆくことができ、運転手の集中や日常を過ごす場合の一助となることが期待される。
【図面の簡単な説明】
【００２２】
【図１】本発明の第１の実施形態に係るイベント発生報知システムの構成図。
【図２】本発明の第１の実施形態に係るイベント発生報知システムの要部である非心身イベント発生部の内部構成図。
【図３】本発明の第１の実施形態に係るイベント発生報知システムの要部である報知手法記憶部に記憶された報知手法情報の一例を示す図。
【図４】本発明の第１の実施形態に係るイベント発生報知システムの動作を示すフローチャート。
【発明を実施するための形態】
【００２３】
以下添付図面を参照して、本発明に係るイベント発生報知システム及びイベント発生報知用プログラムの実施形態を説明する。各図において、同一の構成要素には同一の符号を付して重複する説明を省略する。図１に、本発明の第１の実施形態に係るイベント発生報知システムの構成図を示す。イベント発生報知システムは、ウェラブル端末１００と、スマート通信端末２００とサーバ３００により構成される。ウェラブル端末１００は、腕時計タイプ、メガネタイプ、帽子タイプ、着衣タイプなどの少なくとも１つにより構成することができる。以下の説明において、スマート通信端末２００とサーバ３００が備える「手段」の殆どは、スマート通信端末２００とサーバ３００が、それぞれに備えられているプログラムにより実現される機能である。本発明に係るイベント発生報知用プログラムは、スマート通信端末２００とサーバ３００のコンピュータ（ＣＰＵ）をそれぞれの「手段として機能させる。
【００２４】
ウェラブル端末１００には、バイタルデータ収集手段を構成するバイタルデータ収集部１０１が備えられている。バイタルデータ収集部１０１は、心電図信号、体温、血圧、酸素飽和濃度（ＳｐＯ2）、脳波、移動量（運動量）、意識などの各種のバイタルデータを収集する。収集したデータは、通信部１１０を介してスマート通信端末２００の通信部２２０へ送られ、通信部２２０からバイタルデータ受信部２０１に取り込まれる。通信部１１０と通信部２２０とは、例えばBluetooth（登録商標）の通信を行うものとすることができる。
【００２５】
ウェラブル端末１００には、振動や音とを少なくとも含む複数種の報知手法により報知を行う報知手段１５０が備えられる。報知手段１５０には、この実施形態においては、バイブレータなどの振動出力部１０３、スピーカなどの音出力部１０４、ＬＥＤなどの光出力部１０５、ＬＥＤパネルなどにより構成される映像出力部１０６が設けられている。この他、電気刺激などの痛覚刺激素子、冷却と加熱を行う素子などを備えていても良い。
【００２６】
振動出力部１０３、音出力部１０４、光出力部１０５、映像出力部１０６は、駆動制御部１０２に接続され、駆動制御部１０２は通信部１１０に接続されている。駆動制御部１０２は通信部１１０を介してスマート通信端末２００から送信される制御情報に基づき対応の部を駆動して報知出力を行う。
【００２７】
スマート通信端末２００は、スマートフォン、タブレット端末、パーソナルディジタルアシスタントなどとすることができる。
【００２８】
スマート通信端末２００は、心身イベント発生部２０２が設けられている。心身イベント発生部２０２は、心身イベント発生手段として、収集されたバイタルデータとバイタル閾値とに基づき複数種の心身イベントを発生するものである。心身イベント発生部２０２は、複数種の心身イベントとして、眠気発生イベント、疲労発生イベント、集中力低下イベントを発生させる。それぞれのイベント発生は、１または２のバイタルデータを用いて、バイタルデータ自体またはバイタルデータから得られたＲＲＩデータなどを用い、それぞれのイベント発生の閾値と比較することによりなされる。
【００２９】
サーバ３００には、バイタルデータ解析部３０１が設けられている。バイタルデータ受信部２０１が受信したバイタルデータは、心身イベント発生部２０２から、スマート通信端末２００の通信部２１２、サーバ３００の通信部３０４を介してバイタルデータ解析部３０１へ送られ、バイタルデータ蓄積部３０２に蓄積される。スマート通信端末２００の通信部２１２、サーバ３００の通信部３０４は、公衆網によるネットワークを介して通信を行うものとすることができる。
【００３０】
バイタルデータ解析部３０１はバイタルデータ蓄積部３０２に蓄積されたバイタルデータを用いて、例えば特願２０１４−２６１８６３による手法を用いて眠気の閾値を作成更新する閾値作成更新手段として機能する。また、疲労発生イベント、集中力低下イベントなどの閾値は、バイタルデータとスマート通信端末２００の所持者から送られた「疲労発生」や「集中力低下」などの自分の感覚とを合わせてどの程度の値のときに「疲労発生」や「集中力低下」となるかを平均値を求めるなどの統計処理を行い得ることができる。心身イベントは上記のものに限定されず、その閾値は公知の手法に得ることができる。
【００３１】
スマート通信端末２００の心身イベント発生部２０２には、バイタル閾値記憶部と、バイタル閾値記憶部の記憶内容であるバイタル閾値を更新する更新手段が備えられている。サーバ３００の閾値作成更新手段は通信部３０４、２１２を介して、作成更新したバイタル閾値を上記更新手段へ送ってバイタル閾値記憶部のバイタル閾値を更新する。
【００３２】
非心身イベント発生部２１０が備えられている。非心身イベント発生部２１０には、図２に示されるように、時イベント発生手段１１、連絡イベント発生手段１２、注意喚起イベント発生手段１３が備えられている。
【００３３】
時イベント発生手段１１は、設定した時刻または時間に関する複数種の時イベントを発生する。例えば、バスなどの交通機関の場合、運航計画に基づく停留所毎の発着時刻のイベントや、運転者のリズムで要求する間隔で発生されるイベント、その他休息時刻とその終了時刻などのイベントとすることができる。このイベントはタッチパネルなどを含む設定部２１１から設定することができ、また、サーバ３００に設けられた業務指示・設定部３０３から設定することができる。
【００３４】
連絡イベント発生手段１２は、業務指示・設定部３０３から通信部２１２、３０４を介して複数種の連絡情報中のいずれかの種類の連絡情報を受け取ると、連絡イベントを発生させるものである。複数種の連絡情報としては、渋滞情報イベント、関係する事件の発生を知らせるイベント、その他規則などにより定められた事項或いは定められていない事項のイベントである。
【００３５】
非心身イベント発生部２１０には、ＧＰＳなどの位置情報取得手段１４が設けられており、位置情報を取得することができる。非心身イベント発生部２１０には、地点情報記憶手段１５が設けられている。この地点情報記憶手段１５には、注意喚起のイベントを発生させるべき複数地点の位置情報が記憶されている。複数地点は、ブレーキ多用地点、急カーブなどのストレス発生地点、速度注意地点などである。
【００３６】
注意喚起イベント発生手段１３は、位置情報取得手段１４から現在の位置情報を得て上記地点情報記憶手段１５の情報に基づき現在位置が注意喚起のイベントを発生させるべき地点であることを検出すると、注意喚起のイベントを発生させるものである。非心身イベント発生部２１０には、上記以外のイベント発生手段が備えられていても良い。
【００３７】
スマート通信端末２００には、報知手法記憶部２０９が備えられている。報知手法記憶部２０９には、複数種の心身イベントの種類毎及び複数種の時イベントの種類毎に、報知手法情報が設定されており、上記連絡イベント発生手段１２が受け取る数種の連絡情報の種類毎に報知手法情報が設定されており、地点情報記憶手段１５に記憶された複数の地点毎に報知手法情報が設定されている。
【００３８】
図３は、報知手法記憶部２０９に記憶された報知手法情報の設定例である。イベントＡ〜Ｅは、複数種の心身イベントの種類毎のイベント及び複数種の時イベントの種類毎のイベント、上記連絡イベント発生手段１２が受け取る数種の連絡情報の種類毎のイベント、地点情報記憶手段１５に記憶された複数の地点毎のイベントを示す。Ｙは、当該報知手法を用いることを示し、Ｎは当該報知手法を用いないことを示す。
【００３９】
報知手法記憶部２０９に記憶された報知手法情報の設定は、スマート通信端末２００の設定部２１１から設定することができ、また、サーバ３００に設けられた業務指示・設定部３０３から設定することができる。設定の変更は、基本的に後の設定が優先され、または、イベントの種類によっては変更はスマート通信端末２００とサーバ３００一方からまたは双方から不可と設定することもできる。
【００４０】
スマート通信端末２００には、振動や音とを少なくとも含む複数種の報知手法により報知を行う報知手段２５０が備えられる。報知手段２５０には、この実施形態においては、バイブレータなどの振動出力部２０４、スピーカなどの音出力部２０５、ＬＥＤなどの光出力部２０６、ＬＥＤパネルなどにより構成される映像出力部２０７が設けられている。この他、電気刺激などの痛覚刺激素子、冷却と加熱を行う素子などを備えていても良い。
【００４１】
振動出力部２０４、音出力部２０５、光出力部２０６、映像出力部２０７は、駆動制御部２３０に接続され、駆動制御部２３０は報知制御手段である報知制御部２０８に接続されている。駆動制御部２３０は報知制御部２０８から送出される制御情報に基づき対応の部を駆動して報知出力を行う。
【００４２】
報知制御手段である報知制御部２０８は、心身イベント発生手段である心身イベント発生部２０２と時イベント発生手段１１によるイベント発生を受けて、発生したイベントの種類に応じて対応する報知手法情報を上記報知手法記憶部２０９から得て報知手段１５０、２５０を制御して上記得られた報知手法情報の報知手法により報知を行う。
【００４３】
また、報知制御手段である報知制御部２０８は、連絡イベント発生手段１２によるイベント発生を受けて、発生したイベントの種類に応じて対応する報知手法情報を上記報知手法記憶部２０９から得て上記報知手段１５０、２５０を制御して上記得られた報知手法情報の報知手法により報知を行う。
【００４４】
更に、報知制御手段である報知制御部２０８は、上記注意喚起イベント発生手段１３によるイベント発生を受けて、発生したイベントの種類に応じて対応する報知手法情報を上記報知手法記憶部２０９から得て上記報知手段１５０、２５０を制御して上記得られた報知手法情報の報知手法により報知を行う。
【００４５】
報知制御部２０８は、報知のための制御情報を駆動制御部１０２、２３０へ与えることにより上記報知手段１５０、２５０を制御する。報知制御部２０８は、上記報知手段１５０を制御する場合には、ウェアラブル制御部２０３へ制御情報を送り、これが通信部２２０、１１０を介して送られることになる。
【００４６】
以上のように構成されたイベント発生報知システムでは、図４のフローチャートに示されるように動作が行われる。心身イベント発生部２０２、非心身イベント発生部２１０によりイベント発生となると（Ｓ２１）、報知制御手段である報知制御部２０８が、イベント発生を受けて、発生したイベントの種類に応じて対応する報知手法情報を報知手法記憶部２０９から得て報知手段１５０、２５０を制御して（Ｓ２２）、上記得られた報知手法情報の報知手法により報知が行われる（Ｓ２３Ａ〜Ｓ２３Ｅ）。
【００４７】
第１の実施形態では、心身イベント発生部２０２と非心身イベント発生部２１０の全ての手段を備えたが、第２の実施形態では、心身イベント発生部２０２と時イベント発生手段１１とを備える。勿論、報知手法記憶部２０９の報知手法情報もイベントに対応したものとなる。これにより、連絡イベントや注意喚起イベントが不要なシステムに対応することができる。
【００４８】
また、第３の実施形態では、心身イベント発生部２０２と時イベント発生手段１１及び連絡イベント発生手段１２とを備える。勿論、報知手法記憶部２０９の報知手法情報もイベントに対応したものとなる。これにより、注意喚起イベントが不要なシステムに対応することができる。
【００４９】
その他、心身イベント発生部２０２と非心身イベント発生部２１０のイベント発生手段の中から所望の手段を選択して、システムを構成しても良い。これにより要求される仕様に合わせてシステムを構築することができる。
【符号の説明】
【００５０】
１１   時イベント発生手段
１２   連絡イベント発生手段
１３   注意喚起イベント発生手段
１４   位置情報取得手段
１５   地点情報記憶手段
１００ ウェラブル端末
１０１ バイタルデータ収集部
１０２ 駆動制御部
１０３ 振動出力部
１０４ 音出力部
１０５ 光出力部
１０６ 映像出力部
１１０ 通信部
１５０ 報知手段
２００ スマート通信端末
２０１ バイタルデータ受信部
２０２ 心身イベント発生部
２０３ ウェアラブル制御部
２０４ 振動出力部
２０５ 音出力部
２０６ 光出力部
２０７ 映像出力部
２０８ 報知制御部
２０９ 報知手法記憶部
２１０ 非心身イベント発生部
２１１ 設定部
２１２ 通信部
２２０ 通信部
２３０ 駆動制御部
２５０ 報知手段
３００ サーバ
３０１ バイタルデータ解析部
３０２ バイタルデータ蓄積部
３０３ 業務指示・設定部
３０４ 通信部
【図１】
0006713324.tif 000002
【図２】
0006713324.tif 000003
【図３】
0006713324.tif 000004
【図４】
0006713324.tif 000005